(57)【要約】【課題】  ミラーユニットが第２の状態にあるときに、撮影レンズからの光束を確実に撮像素子に到達させることのできる撮像装置を提供する。【解決手段】  撮影レンズからの光束を用いて被写体像の観察を可能とするファインダ光学系と、光束を用いて撮影レンズの焦点状態を検出する焦点検出手段と、光束をファインダ光学系および焦点検出手段に向けて反射する第１の状態と光束を撮像素子に向かわせる第２の状態とに切り換え駆動されるミラーユニットと、光束を撮像素子に到達させる開き状態と、光束の撮像素子への到達を抑制する閉じ状態とで駆動されるシャッタユニットとを有し、ミラーユニットの第１の状態から第２の状態への切り換え駆動に連動させてシャッタユニットを開き状態とする。【選択図】  図２
2005292526.tif 000002
【特許請求の範囲】
【請求項１】
撮影レンズからの光束により形成された被写体像を光電変換する撮像素子と、
前記光束を用いて被写体像の観察を可能とするファインダ光学系と、
前記光束を用いて前記撮影レンズの焦点状態を検出する焦点検出手段と、
前記光束を前記ファインダ光学系および前記焦点検出手段に向けて反射する第１の状態と前記光束を前記撮像素子に向かわせる第２の状態とに切り換え駆動されるミラーユニットと、
前記光束を前記撮像素子に到達させる開き状態と、前記光束の前記撮像素子への到達を抑制する閉じ状態とで駆動されるシャッタユニットとを有し、
前記ミラーユニットの第１の状態から第２の状態への切り換え駆動に連動させて前記シャッタユニットを開き状態とすることを特徴とする撮像装置。
【請求項２】
前記シャッタユニットは、前記光束が通過する開口部に対して重畳および展開動作する第１および第２の遮光羽根群を有し、
前記第１及び第２の遮光羽根群のうち一方の遮光羽根群に対して係合可能な保持機構を有しており、
前記ミラーユニットが第１の状態から第２の状態に切り換わるときに、前記第１及び第２の遮光羽根群のうち展開状態にある遮光羽根群を重畳させるとともに、重畳状態にある遮光羽根群を前記保持機構によって重畳状態に保持させることを特徴とする請求項１に記載の撮像装置。
【請求項３】
前記シャッタユニットは、前記光束が通過する開口部に対して重畳および展開動作する第１および第２の遮光羽根群を有し、
前記ミラーユニットが第１の状態から第２の状態に切り換わるときに、前記第１および第２の遮光羽根群のうち一方の遮光羽根群の重畳動作を許容するとともに、他方の遮光羽根群を重畳させる駆動部材を有することを特徴とする請求項１に記載の撮像装置。
【請求項４】
前記第２の状態は、前記光束を前記撮像素子に向けて透過させるとともに前記焦点検出手段に向けて反射する透過／反射状態もしくは前記撮影レンズから前記撮像素子への撮影光路から退避する退避状態であることを特徴とする請求項１から３のいずれか１つに記載の撮像装置。
【請求項５】
前記ミラーユニットは、前記光束の一部を反射し、残りを透過させる第１のミラー部材と、該第１のミラー部材を透過した光束を反射する第２のミラー部材とにより構成されており、
前記第１の状態では前記第１および第２のミラー部材が前記撮影光路内に配置され、前記透過／反射状態では前記第１のミラー部材が前記撮影光路内に配置されるとともに前記第２のミラー部材が前記撮影光路から退避し、前記退避状態では前記第１および第２のミラー部材が前記撮影光路から退避することを特徴とする請求項４に記載の撮像装置。
【発明の詳細な説明】
【技術分野】
【０００１】
本発明は、撮影レンズからの光束をファインダ光学系に導く第１の状態と、前記光束を撮像素子に到達させる第２の状態との間で切り換わる撮像装置に関するものである。
【背景技術】
【０００２】
従来、一眼レフレックスカメラのような撮像装置においては、撮像素子と撮像光学系の間に配置されたハーフミラーおよび全反射ミラーを用いて、撮影光学系からの光束をファインダ光学系及び焦点検出ユニットに導くことで、被写体像の観察及び自動焦点調節を行っている。また、上記ミラーを撮影光路から退避させて撮影光学系からの光束を撮像素子に到達させることによって撮影動作を行っている。
【０００３】
一方、反射ミラーが撮影光路内に配置されているときには、位相差検出方式による焦点調節を行い、反射ミラーが撮影光路から退避しているときには、撮像素子の出力を用いてコントラスト検出方式による焦点調節を行うものがある（例えば、特許文献１参照）。該特許文献２のカメラでは、撮像素子から読み出された画像を表示ユニット（ＥＶＦ：Electronic View Finder）で表示させながら、コントラスト検出方式による焦点調節を行うことができる。
【０００４】
特許文献１のカメラにおいて、反射ミラーが撮影光路から退避しているときには、コントラスト検出方式による焦点調節しかできないため、位相差検出方式による焦点調節に比べて撮影光学系が合焦状態となるまでに時間がかかってしまう。
【０００５】
そこで、ＯＶＦおよびＥＶＦのときに撮影レンズからの光束を位相差検出方式による焦点検出を行う焦点検出ユニットに導く撮像装置がある。具体的には、ミラーユニットが、撮影レンズからの光束を光学ファインダおよび焦点検出ユニットに導く第１の光路分割状態と、撮像素子及び焦点検出ユニットに導く第２の光路分割状態とに切り換え駆動されるようにしている。
【特許文献１】特開２００１−１２５１７３号公報（段落番号００６２〜００６７、図８、９）
【発明の開示】
【発明が解決しようとする課題】
【０００６】
ミラーユニットを第１および第２の光路分割状態で切り換える撮像装置では、該切り換え動作の後にシャッタユニットのシャッタ先幕の走行を別に行うようになっている。しかし、ミラーユニットの駆動及びシャッタユニットの駆動を別々に行う場合には、駆動シーケンスが複雑化したり、作動時間が長くなったりしてしまう。また、駆動シーケンスに異常が生じた場合には、ミラーユニットの状態が切り換えられているものの、シャッタユニットが開き状態となっておらず、表示ユニットで被写体像を表示できないおそれがある。
【課題を解決するための手段】
【０００７】
本発明の撮像装置は、撮影レンズからの光束により形成された被写体像を光電変換する撮像素子と、前記光束を用いて被写体像の観察を可能とするファインダ光学系と、前記光束を用いて前記撮影レンズの焦点状態を検出する焦点検出手段と、前記光束を前記ファインダ光学系および前記焦点検出手段に向けて反射する第１の状態と前記光束を前記撮像素子に向かわせる第２の状態とに切り換え駆動されるミラーユニットと、前記光束を前記撮像素子に到達させる開き状態と、前記光束の前記撮像素子への到達を抑制する閉じ状態とで駆動されるシャッタユニットとを有している。そして、前記ミラーユニットの第１の状
態から第２の状態への切り換え駆動に連動させて前記シャッタユニットを開き状態とすることを特徴とする。
【発明の効果】
【０００８】
本発明によれば、ミラーユニットを第１の状態から第２の状態に切り換えるときに連動させてシャッタユニットを開き状態としているため、撮影レンズからの光束を確実に撮像素子に到達させることができる。
【発明を実施するための最良の形態】
【０００９】
以下、本発明の実施例について説明する。
【実施例１】
【００１０】
図１は、本発明の実施例１であるカメラシステムのうちカメラ本体内の主な電気的構成を示すブロック図である。
【００１１】
図１において、２はカメラ本体１内の動作を制御するマイクロプロセッサである。３はモータ駆動回路であり、マイクロプロセッサ２からの制御信号を受けることにより、カメラ本体１内に配置された不図示のモータを駆動する。該モータは、カメラ本体１内に配置された可動部材、例えば、後述するハーフミラーおよびサブミラーの駆動源となる。
【００１２】
４は被写体の輝度を測定（測光）するための測光センサであり、測光結果をマイクロプロセッサ２に出力する。マイクロプロセッサ２は、測光センサ４からの出力を受けて露出値（絞り値やシャッタ速度）の演算を行う。５は撮影光学系の焦点状態を検出するための焦点検出センサであり、位相差検出方式による焦点検出を行う。
【００１３】
６はシャッタ制御回路であり、マイクロプロセッサ２からの制御信号を受けることによりカメラ本体１内に設けられたシャッタユニットの駆動を制御する。これにより、撮影光学系から撮像素子に到達する光量を調節することができる。
【００１４】
８はディスプレイユニットであり、撮像素子から読み出されて生成された画像データを表示したり、特定の情報を表示したりする。９はストロボ制御回路であり、マイクロプロセッサ２からの制御信号を受けることにより、カメラ本体１内に設けられた内蔵ストロボ１６の駆動を制御する。
【００１５】
１０はカメラ本体１の設定状態等に関する情報を格納するための記憶回路であり、１１は撮像素子の駆動を行うための撮像素子駆動回路である。１２はカメラ本体１に装着されるレンズ装置と通信を行うためのレンズ通信回路である。マイクロプロセッサ２は、レンズ通信回路１２を介してレンズ装置内に設けられた不図示のレンズ制御回路との通信を行うことができる。具体的には、レンズ制御回路は、焦点検出センサ５の検出結果から得られたフォーカスレンズの駆動量に関する情報をマイクロプロセッサ２から受信することにより、レンズ装置内に配置されたフォーカスレンズを光軸方向に移動させる（焦点調節）。また、レンズ制御回路は、絞り値に関する情報をマイクロプロセッサ２から受信すると、絞り制御回路を介して絞りユニットの駆動を制御する。これにより、レンズ装置からカメラ本体１内に取り込まれる光量を調節することができる。
【００１６】
１３は、カメラ本体１に装着されるレンズ装置以外のアクセサリ、例えば、照明装置や記録媒体と通信するための通信回路である。
【００１７】
１４はＳＷ１であり、撮影準備動作（測光動作や焦点調節動作）を開始させるためのスイッチである。１５はＳＷ２であり、撮影動作（撮像素子への露光及び撮像素子から読み
出された画像の記録媒体への記録）を開始させるためのスイッチである。
【００１８】
１６は内蔵ストロボであり、外付けの照明ユニットがカメラ本体１に装着されていないときに被写体に対して照明光を照射したり、焦点調節（ＡＦ）を行うときに被写体に対してＡＦ補助光を照射したりする。
【００１９】
図２から図４は、本実施例であるカメラシステムの概略構成を示す断面図である。ここで、図２は、カメラシステムがＯＶＦモードに設定されている状態を示す図、図３は、カメラシステムがＥＶＦモードに設定されている状態を示す図、図４は、カメラシステムが撮影状態にあるときの図である。
【００２０】
図２から図４において、２０はミラーボックスであり、２１はハーフミラー（第１のミラー部材）であり、２２はハーフミラーレバーである。ハーフミラー２１は、ハーフミラーレバー２２を介してミラーボックス２０に連結されており、ミラーボックス２０に対して回動可能となっている。
【００２１】
２３はサブミラー（第２のミラー部材）であり、サブミラーレバー２３ａを介してミラーボックス２０に連結されている。サブミラーレバー２３ａは、ミラーボックス２０に形成された回転軸２３ｂを中心に回転することで、サブミラー２３を撮影光路内に進入させたり、撮影光路から退避させたりする。
【００２２】
３１はＣＣＤやＣＭＯＳセンサ等の撮像素子であり、撮影光学系によって形成された光学像を光電変換によって電気信号に変換して蓄積するとともに、蓄積した電荷を読み出す。３０は、撮像素子３１へ入射する光量を調節するシャッタユニット（フォーカルプレンシャッタ）である。３２は、カメラ本体１の外装面に配置されたディスプレイユニットであり、撮影者は、ディスプレイユニット３２の表示された画像や特定の情報をカメラ本体１の外部から観察することができる。
【００２３】
４０はファインダ光学系であり、ペンタプリズム４１、ファインダレンズ４２および焦点板４３を有している。図２に示す状態において、ハーフミラー２１で反射した被写体光は焦点板４３上で結像する。また、焦点板４３での被写体像は、ペンタプリズム４１で正立像に変換される。撮影者は、ファインダレンズ４２を介して焦点板４３に形成された被写体像を観察することができる。
【００２４】
６０は、位相差検出方式による撮影光学系の焦点状態を検出するための焦点検出ユニット（焦点検出手段）である。図２に示すＯＶＦモードにおいては、ハーフミラー２１を透過し、サブミラー２３で反射された被写体光が焦点検出ユニット６０に入射する。また、図３に示すＥＶＦモードにおいては、ハーフミラー２１で反射された被写体光が焦点検出ユニット６０に入射する。そして、焦点検出ユニット６０は、入射された光束に基づいて焦点状態の検出を行う。
【００２５】
５０は、カメラ本体１に装着されるレンズ装置であり、撮影レンズ５０ａを有している。７０は、アイピースシャッタであり、ファインダ光学系の光路内に進入したり、上記光路から退避したりする。アイピースシャッタ７０がファインダ光学系の光路内に進入しているときには、外部からの光がファインダ光学系を介してカメラ本体１内に入射するのを防止することができる。８０は、焦点板４３上に特定の情報を表示させるための情報表示ユニットである。
【００２６】
図５から図７および図１６は、上述したハーフミラーおよびサブミラーを含むミラーユニットの外観斜視図を示す。図５は、ＯＶＦモードに設定されているときのミラーユニッ
トの外観斜視図であり、図６は、ＥＶＦモードに設定されているときのミラーユニットの外観斜視図である。図７および図１６は、撮影状態にあるときのミラーユニットの外観斜視図である。以下、これらの図を用いてミラーユニットの構成について具体的に説明する。
【００２７】
１０１はハーフミラーであり、レンズ装置内の撮影レンズから射出された光束のうち一部を反射させるとともに、残りを透過させる。１０２は、ハーフミラー１０１を保持するハーフミラー受け板である。ハーフミラー受け板１０２にはハーフミラー１０１を露出させるための開口部が形成されている。１０４は、ハーフミラー押さえ軸であり、ハーフミラー受け板１０２に対して複数個設けられている。
【００２８】
１０３は、ハーフミラー１０１をハーフミラー受け板１０２に対して固定させるためのハーフミラー押さえバネであり、ハーフミラー押さえ軸１０４に当接することでハーフミラー１０１に対して押さえ力を付与するようになっている。ハーフミラー押さえバネ１０３には、ハーフミラー１０１を露出させるための開口部が形成されている。ここで、撮影光学系からの光は、ハーフミラー１０１の露出した領域に到達することで、ハーフミラー１０１を透過したり、ハーフミラー１０１の表面で反射したりする。
【００２９】
１０５はハーフミラー駆動軸であり（図７参照）、ハーフミラー受け板１０２に対して固定されている。１０６は、ハーフミラーカム軸であり、ハーフミラー受け板１０２に固定されている。１０７はハーフミラー反転軸であり、ハーフミラー受け板１０２の両側に設けられている。
【００３０】
１１０は、ハーフミラーホルダーリンクであり、ハーフミラーヒンジ軸１２０を介して不図示のミラーボックス（図２等のミラーボックス２０）に対して回動可能に取り付けられている。また、ハーフミラーホルダーリンク１１０は、ハーフミラー反転軸１０７を介してハーフミラー受け板１０２を回動可能に保持している。
【００３１】
１１１は、ハーフミラーホルダーリンク１１０に形成された位置決め部であり（図１６参照）、後述する位置決め部材３５２に当接することで、ハーフミラーホルダーリンク１１０をＥＶＦモードに対応した位置に保持させる。
【００３２】
１０８は、ハーフミラー開きバネであり、ハーフミラー受け板１０２およびハーフミラーホルダーリンク１１０が所定の状態に保持されるように、ハーフミラー反転軸１０７を回転中心として、ハーフミラー受け板１０２とハーフミラーホルダーリンク１１０（ハーフミラー駆動軸１０５）にバネ力を付加している。
【００３３】
２０１は、サブミラー２０２を保持するサブミラーホルダーである。２０３はサブミラーカム軸であり、不図示のミラーボックスに設けられているカム部に当接しており、該カム部に沿って移動可能となっている。２０４はサブミラー開きバネであり、後述するサブミラーレバー２１０とサブミラーホルダー２０１との間にバネ力を付加している。
【００３４】
２１０はサブミラーレバーであり、サブミラーヒンジ軸２１２を介して不図示のミラーボックスに回動可能に支持されている。また、サブミラーレバー２１０は、サブミラーホルダヒンジ軸２０５を介してサブミラーホルダー２０１を回動可能に保持している。
【００３５】
２１１はサブミラー駆動軸部材であり、サブミラーレバー２１０に対して固定されている。２１３は、サブミラー駆動バネであり、サブミラーヒンジ軸２１２と同軸上に配置されている。サブミラー駆動バネ２１３の一端は不図示のミラーボックスに固定され、他端はサブミラー駆動軸部材２１１に当接している。すなわち、サブミラー駆動バネ２１３は
、サブミラー駆動軸部材２１１を介してサブミラーレバー２１０を図１６中矢印Ａ方向（サブミラー２０２を撮影光路内に進入させる方向）に付勢している。
【００３６】
２１４は、サブミラーレバー２１０に形成された位置決め部であり、後述する位置決め部材３５３に当接することでサブミラーレバー２１０を特定の位置に保持させる。すなわち、位置決め部２１４が位置決め部材３５３に当接することで、サブミラー２０２が撮影光路内の特定の位置（図２に示す位置）で停止するようになっている。
【００３７】
３１０はハーフミラー駆動レバーであり、ハーフミラー駆動部３１７においてハーフミラー受け板１０２に固定されたハーフミラー駆動軸１０５と係合している。ハーフミラー駆動レバー３１０は、ミラーボックスに対して回動可能に取り付けられており、回動動作によってハーフミラー受け板１０２を動作させる。ハーフミラー駆動レバー３１０は、図１６に示すようにギア部３１０ａを有しており、ギア部３１０ａは後述するミラー駆動ギア３１２に形成された第１のギア部３１２ａと噛み合っている。
【００３８】
３１１はサブミラー駆動レバーであり、突起部３１１ａでサブミラー駆動軸部材２１１の軸部２１１ａに当接可能となっているとともに、ギア部３１１ｂで後述するミラー駆動ギア３１２の第２のギア部３１２ｂと噛み合っている（図１６参照）。
【００３９】
３１２はミラー駆動ギアであり、ミラーボックスに対して回動可能に取り付けられている。ミラー駆動ギア３１２は、ハーフミラー駆動レバー３１０のギア部３１０と噛み合う第１のギア部３１２ａと、サブミラー駆動レバー３１１のギア部３１１ｂと噛み合う第２のギア部３１２ｂを有している。
【００４０】
３１３はミラー駆動レバーであり、ミラーボックスに対して回動可能に取り付けられている。ここで、ミラー駆動レバー３１３は、該回動軸がミラー駆動ギア３１２の回動軸と同軸上となるように配置されている。
【００４１】
３１４は吸収バネであり、ミラー駆動ギア３１２とミラー駆動レバー３１３の間であって、これらの部材３１２、３１３の回動軸上に配置されている。図５に示すように、吸収バネ３１４の一端３１４ａはミラー駆動ギア３１２に当接しており、他端３１４ｂはミラー駆動レバー３１３に当接している。これにより、吸収バネ３１４は、ミラー駆動レバー３１３が大きな駆動力を受けたときに該力を吸収することができるとともに、ミラー駆動レバー３１３によってチャージされることでミラー駆動レバー３１３を元に戻す力、すなわち、後述するようにハーフミラー１０１を撮影光路内に進入させる力を発生する。
【００４２】
３１５はミラー駆動バネであり、図７に示すように一端３１５ａが不図示のミラーボックスに当接しているとともに、他端３１５ｂがミラー駆動レバー３１３に当接している。これにより、ミラー駆動バネ３１５は、ミラー駆動レバー３１３に対して図５の矢印Ｙ方向（ハーフミラー１０１を撮影光路から退避させる方向）の付勢力を付与している。
【００４３】
３１６はミラー駆動レバー３１３に形成されたミラー駆動レバー入力部である。カメラ本体１内に設けられた不図示のモータからの駆動力が動力伝達機構を介してミラー駆動レバー入力部３１６に伝達されると、ミラー駆動レバー３１３は矢印Ｘ方向に回動することにより、ミラー駆動バネ３１５をチャージするとともに、ハーフミラー１０１を撮影光路内に進入するように駆動する。
【００４４】
３１８は、ミラー駆動レバー３１３に形成された当接部であり、後述するシャッタ駆動レバー３２０の側辺部に当接可能となっている。
【００４５】
３１９は、ミラー駆動レバー３１３に形成されたシャッタ保持機構連動部であり、後述するシャッタ保持機構連動レバー３６０と係合している。シャッタ保持機構連動レバー３６０は、ミラー駆動レバー３１３の回動に応じて移動するようになっている。
【００４６】
３２０はシャッタ駆動レバーであり、不図示のミラーボックスに回動可能に取り付けられている。ここで、シャッタ駆動レバー３２０は、この回動軸がミラー駆動レバー３１３の回動軸と同軸上となるように配置されている。３２１は、シャッタ駆動レバー３２０に形成されたシャッタ駆動部であり、後述するようにシャッタユニットと係合しており、シャッタユニットにおけるチャージ及びチャージ解除を行う。
【００４７】
３２２は、シャッタ駆動レバー３２０に形成されたハーフミラー駆動カムであり、ハーフミラー１０１の駆動状態に応じてハーフミラーカム軸１０６に当接可能となっている。そして、後述するようにハーフミラーカム軸１０６がハーフミラー駆動カム３２２に沿って移動することで、ハーフミラー１０１（ハーフミラー受け板１０２）の光軸に対する傾き角度を変化させることができる。
【００４８】
３２３はシャッタ駆動バネであり、一端３２３ａが不図示のミラーボックスに当接し、他端３２３ｂがシャッタ駆動レバー３２０に形成された引掛け部３２０ａに当接している。
【００４９】
３２４は、シャッタ駆動レバー３２０に形成されたシャッタ駆動レバー入力部である。カメラ本体１内に設けられた不図示のモータからの駆動力が動力伝達機構を介してシャッタ駆動レバー入力部３２４に伝達されると、シャッタ駆動レバー３２０は矢印Ｘ方向に回動する。これにより、シャッタ駆動バネ３２３がチャージされるとともに、後述するようにシャッタ駆動部３２１を介してシャッタユニットのチャージ動作が行われる。
【００５０】
３５０はミラーボックスに取り付けられたハーフミラー位置決め部材であり（図１６参照）、ハーフミラー受け板１０２と当接することで、ハーフミラー１０１を図２に示す位置に保持する。３５１はミラーボックスに取り付けられたハーフミラー位置決め部材であり（図１６参照）、ハーフミラー受け板１０２と当接することで、ハーフミラー１０１を図３に示す位置に保持する。
【００５１】
３５２はミラーボックスに取り付けられたハーフミラーホルダーリンク位置決め部材であり（図１６参照）、ハーフミラー１０１が図３に示す状態にあるときに、ハーフミラーホルダーリンク１１０の位置決め部１１１と当接する。
【００５２】
３５３はミラーボックスに取り付けられたサブミラーレバー位置決め部材であり（図１６参照）、サブミラー２０２が図２に示す位置にあるときに、サブミラーレバー２１０の位置決め部２１４と当接する。３５４はミラーボックスに取り付けられたサブミラー位置決め部材であり、サブミラー２０２が図２に示す位置にあるときに、サブミラーホルダー２０１と当接する。
【００５３】
なお、上述した位置決め部材３５０〜３５４は、ミラーボックスに対する位置が調整可能となっている。
【００５４】
図８及び図９は、シャッタユニット（図２のシャッタユニット３０に相当する）を示す外観斜視図である。図８及び図９に示すシャッタユニット４００は、複数のシャッタ羽根で構成されたシャッタ先幕（遮光羽根群）４１１及びシャッタ後幕（遮光羽根群）４２１を有している。
【００５５】
図９において、４１２はシャッタ先幕４１１と連結するシャッタ先駆動レバーであり、４２２はシャッタ後幕４２１と連結するシャッタ後駆動レバーである。これらの駆動レバー４１２、４２２は、回動動作によってシャッタ先幕４１１やシャッタ後幕４２１を重畳させたり、展開させたりする。
【００５６】
また、シャッタユニット４００は、シャッタ保持機構４０１を有している。シャッタ保持機構４０１は、シャッタ後駆動レバー４２２と係合することでシャッタ後幕４２１を重畳状態で保持することができるように構成されている。
【００５７】
４３０は、シャッタ先幕駆動レバー４１２及びシャッタ後幕駆動レバー４２２をチャージ駆動するためのシャッタチャージレバーである。シャッタチャージレバー４３０は、シャッタ駆動レバー３２０に形成されたシャッタ駆動部３２１と係合しており、シャッタ駆動レバー３２０の回動に応じて動作するようになっている。
【００５８】
４１３は、チャージされたシャッタ先駆動レバー４１２を吸着保持する先幕ヨークであり、４２３は、チャージされたシャッタ後駆動レバー４１３を吸着保持する後幕ヨークである。
【００５９】
４５０はシャッタ地板であり、上述したシャッタチャージレバー４３０、ヨーク４１３、４２３やシャッタ保持機構４０１が取り付けられている。シャッタ地板４５０には、撮影光束が通過するアパーチャ４５０ａが形成されている。シャッタ先幕４１１やシャッタ後幕４２１は、展開状態でアパーチャ４５０ａを通過する撮影光束を遮光し、重畳状態で撮影光束がアパーチャ４５０ａを通過するのを許容する。
【００６０】
シャッタ保持機構４０１は、以下に説明する部材を有している。
【００６１】
４０２は、シャッタユニット外部からの駆動力の入力を受けて動作するシャッタ後幕保持レバーであり、４０３は、シャッタユニット外部からの駆動力が入力されるシャッタ後幕保持駆動レバーである。４０６はシャッタ保持機構回動軸であり、シャッタ後幕保持レバー４０２とシャッタ後幕保持駆動レバー４０３を回動可能に支持する。４０４はシャッタ保持レバー解除バネであり、４０５は、シャッタ後幕保持レバー４０２とシャッタ保持駆動レバー４０３の間に設けられている吸収バネである。吸収バネ４０５は、一端がシャッタ後幕保持レバー４０２に当接しており、他端がシャッタ後幕保持駆動レバー４０３に当接している。そして、吸収バネ４０５は、シャッタ後幕保持駆動レバー４０３のオーバー駆動を許容するためと、シャッタユニットでのチャージ動作の際にシャッタ後幕保持レバー４０２を退避動作させるために設けられている。
【００６２】
ここで、ハーフミラー１０１およびサブミラー２０２が図３に示す状態にあるとき、シャッタ後幕保持レバー４０２およびシャッタ後幕保持駆動レバー４０３は、外部からの駆動力の入力を受けて一体的に駆動され、シャッタ後幕駆動レバー４２２と係合することによりシャッタ後幕４２１を重畳状態で保持させる。
【００６３】
次に、図５から図７を用いて、ハーフミラー１０１およびサブミラー２０２を含むミラーユニットの状態について説明する。
【００６４】
図５は、カメラシステムがＯＶＦモードに設定されているときのミラーユニットの状態（第１の光路分割状態）を示す図であり、上述した図２に示す状態に対応している。
【００６５】
第１の光路分割状態において、ハーフミラー１０１は、撮影光学系（撮影レンズ５０ａ）から撮像素子３１に向かう撮影光路上に配置されており、撮影光学系からの光束のうち
一部を反射させるとともに、残りを透過させる。ハーフミラー１０１で反射した光束は、図２に示すようにカメラ本体１の上方に配置されたファインダ光学系４０に導かれる。
【００６６】
一方、ハーフミラー１０１に対して像面側にはサブミラー２０２が配置されており、ハーフミラー１０１を透過した光束を反射させて、カメラ本体１の下側に配置された焦点検出ユニット６０に導く。
【００６７】
また、第１の光路分割状態では、ミラー駆動レバー３１３及びシャッタ駆動レバー３２０のそれぞれが、ミラー駆動バネ３１５及びシャッタ駆動バネ３２３をチャージしている。ハーフミラー受け板１０２は、吸収バネ３１４の付勢力を受けたハーフミラー駆動レバー３１０によって、ハーフミラー位置決め部材３５０に当接した状態で保持される。
【００６８】
また、サブミラーレバー２１０は、サブミラー駆動バネ２１３の付勢力を受けることで位置決め部２１４においてサブミラーレバー位置決め部材３５３に当接している。また、サブミラーホルダー２０１は、サブミラー開きバネ２０４の付勢力を受けることでサブミラー位置決め部材３５４に当接している。
【００６９】
図６は、カメラシステムがＥＶＦモードに設定されているときのミラーユニットの状態（第２の光路分割状態、透過／反射状態）を示す図であり、上述した図３に示す状態に対応している。
【００７０】
第２の光路分割状態において、サブミラー２０２は撮影光路から退避している。また、ハーフミラー１０１は、この反射面の位置が第１の光路分割状態にあるサブミラー２０２の反射面の位置と同じとなるように配置されている。
【００７１】
これにより、撮影光学系（撮影レンズ５０ａ）からの光束のうち一部の光束はハーフミラー１０１で反射してミラーボックス下部の焦点検出ユニット６０に導かれ、残りの光束はハーフミラー１０１を透過して像面側に向かう。
【００７２】
第２の光路分割状態において、ハーフミラーホルダーリンク１１０は、位置決め部１１１でハーフミラーホルダーリンク位置決め部材３５２に当接し、ハーフミラー受け板１０２はハーフミラー位置決め部材３５１に当接している。これにより、ハーフミラー１０１は、図６に示す状態に保持される。
【００７３】
また、シャッタ駆動レバー３２０は、シャッタユニットでのチャージを解除した状態で保持されている。そして、ミラー駆動レバー３１３は、図５で示したミラー駆動レバー３１３のチャージ量よりも大きな量だけ駆動（回動）されて保持されている。
【００７４】
図７は、カメラシステムが撮影モードに設定されているときのミラーユニットの状態（第３の光路分割状態、退避状態）を示す図であり、上述した図４に示す状態に対応している。
【００７５】
第３の光路分割状態において、ハーフミラー１０１およびサブミラー２０２は撮影光路から退避している。これにより、撮影光学系からの光は直接撮像素子に向かうようになっている。
【００７６】
ここで、ミラー駆動レバー３１３及びシャッタ駆動レバー３２０は、外部からの駆動力を受けていないため、ミラー駆動バネ３１５及びシャッタ駆動バネ３２３の付勢力を受けることで矢印Ｙ方向に回動して、特定の位置で停止している。
【００７７】
図１０から図１５は、ミラーユニットが第１から第３の光路分割状態にあるときのミラーユニットおよびシャッタユニットの外観斜視図を示している。具体的には、図１０及び図１１は、ミラーユニットが第１の光路分割状態にあるときの図であり、図１２及び図１３は、ミラーユニットが第２の光路分割状態にあるときの図であり、図１４及び図１５は、ミラーユニットが第３の光路分割状態にあるときの図である。
【００７８】
図１０及び図１１に示す第１の光路分割状態では、上述したように撮影光学系からの光束のうち一部の光束がファインダ光学系に導かれるとともに、残りの光束が焦点検出ユニットに導かれる。
【００７９】
このとき、シャッタユニット４００におけるシャッタ先幕４１１およびシャッタ後幕４２１はチャージ動作が完了した撮影準備状態にあり、具体的にはシャッタ先幕４１１が展開状態にあり、シャッタ後幕４２１が重畳状態にある。ここで、展開状態にあるシャッタ先幕４１１は、シャッタユニット４００のアパーチャ４５０ａを塞いでいるため、撮影光学系からの光束は撮像素子には到達しない。
【００８０】
図１２及び図１３に示す第２の光路分割状態では、上述したように撮影光学系からの光束のうち一部の光束が焦点検出ユニットに導かれるとともに、残りの光束が像面側に向かうようになっている。
【００８１】
ここで、シャッタユニット４００において、シャッタ先幕４１１はチャージ状態の解除によって重畳状態にあり、シャッタ後幕４２１はチャージ状態が保持されて重畳状態にある。このとき、シャッタ後幕保持レバー４０２は、シャッタ後駆動レバー４２２と係合している。
【００８２】
シャッタ先幕４１１の重畳動作によってシャッタユニット４００のアパーチャ４５０ａは開き状態となり、撮影光学系からの光束が撮像素子に到達することになる。
【００８３】
撮像素子で蓄積された電荷は、所定の周期で読み出され、所定の処理が施された後に、カメラ本体１に設けられたディスプレイユニットで表示される。これにより、撮影者はディスプレイユニットでの表示を見ながら撮影構図を決定することができる。
【００８４】
図１４及び図１５に示す第３の光路分割状態では、上述したように撮影光学系からの光束が直接像面側に向かうようになっている。
【００８５】
図１４及び図１５では、撮影動作を行う前の状態を示しており、シャッタ先幕４１１が展開状態にあるとともに、シャッタ後幕４２１が重畳状態にある。すなわち、シャッタユニット４００のアパーチャ４５０ａはシャッタ先幕４１１で塞がれているため、撮影光学系からの光は撮像素子には到達しないようになっている。
【００８６】
ここで、カメラ本体１に設けられたレリーズボタンの全押し操作によってＳＷ２がオン状態になることで、撮影動作の開始が指示されると、まずシャッタ先幕４１１の駆動が開始される。具体的には、図１４および図１５に示す展開状態にあるシャッタ先幕４１１が重畳し始める。シャッタ先幕４１１が重畳状態となってから所定時間が経過すると、重畳状態あるシャッタ後幕４２１の駆動が開始される。これにより、シャッタ後幕４２１は、展開状態となり、シャッタユニット４００のアパーチャ４５０ａを塞ぐことになる。上述したシャッタ先幕４１１が重畳状態となってからシャッタ後幕４２１が展開状態になるまでの間、撮影光学系からの光束が撮像素子に到達する。
【００８７】
次に、図１７から図２３（図１６を除く）を用いて、ミラーユニットの動作について説
明する。
【００８８】
まず、図１７から図１９を用いて、ミラーユニットが第１の光路分割状態から第３の光路分割状態に移行するときの動作について説明する。
【００８９】
図１７は、第１の光路分割状態にあるときのミラーユニットおよびシャッタユニットの外観斜視図である。図１８は、第１および第３の光路分割状態間の切り換わり途中の状態にあるときのミラーユニットおよびシャッタユニットの外観斜視図である。図１９は、第３の光路分割状態にあるときのミラーユニットおよびシャッタユニットの外観斜視図である。ここで、図１７〜図１９は、ミラーユニットおよびシャッタユニットを被写体側から見たときの図である。
【００９０】
まず、図１７に示す第１の光路分割状態では、図５や図１０を用いて説明したように、ミラー駆動レバー３１３及びシャッタ駆動レバー３２０が外部からの駆動力を受けて図５の矢印Ｘ方向に回動することで、ミラー駆動バネ３１５やシャッタ駆動バネ３２３をチャージしている。
【００９１】
このとき、ハーフミラー駆動レバー３１０に形成されたハーフミラー駆動部３１７にはハーフミラー駆動軸１０５が係合している。また、ハーフミラー受け板１０２は、吸収バネ３１４の付勢力を受けることで、ハーフミラー位置決め部材３５０に当接している。
【００９２】
また、ハーフミラーカム軸１０６はハーフミラーホルダーリンク１１０に当接している。これにより、ハーフミラー受け板１０２とハーフミラーホルダーリンク１１０の間の角度を安定させることができる。そして、ハーフミラー受け板１０２をハーフミラー位置決め部材３５０に当接させることで、ハーフミラー１０１を第１の光路分割状態に応じた位置（撮影光学系からの光をファインダ光学系系に反射させる位置）に維持させることができる。
【００９３】
一方、サブミラー駆動軸部材２１１に対しては直接外部からの駆動力が付加されず、また、軸部２１１ａがサブミラー駆動レバー３１１の突起部３１１ａと当接していないため、サブミラー駆動レバー３１１からの駆動力も付加されない状態となっている。
【００９４】
したがって、サブミラー駆動レバー２１０は、サブミラー駆動バネ２１３の付勢力を受けて位置決め部２１４でサブミラーレバー位置決め部材３５３に当接している。また、サブミラーホルダー２０１がサブミラー開きばね２０４の付勢力を受けてサブミラー位置決め部材３５４に当接している。
【００９５】
また、シャッタユニット４００においては、シャッタ駆動レバー３２０に形成されたシャッタ駆動部３２１がシャッタチャージレバー４３０を駆動（回動）させることで、シャッタ先駆動レバー４１２及びシャッタ後駆動レバー４２２をチャージ状態としている。このとき、シャッタ先幕４１１は展開状態にあり、シャッタ後幕４２１は重畳状態にある。
【００９６】
図１７に示す状態にあるハーフミラー１０１を撮影光路から退避させるときには、ミラー駆動レバー３１３及びシャッタ駆動レバー３２０に付加されていた駆動力が解除され、ミラー駆動レバー３１３及びシャッタ駆動レバー３２０は、ミラー駆動バネ３１５及びシャッタ駆動バネ３２３の付勢力を受けることで図５の矢印Ｙ方向に回動する。
【００９７】
これにより、ハーフミラー１０１及びサブミラー２０２は、図１８に示すように撮影光路から退避するようになる。すなわち、ハーフミラー駆動レバー３１０がハーフミラー駆動部３１７を介してハーフミラー駆動軸１０５を移動させることにより、ハーフミラー１
０１をカメラ本体１の上方（ファインダ光学系側）に向かって移動させる。また、サブミラー駆動レバー３１１が突起部３１１ａを介してサブミラー駆動軸部材２１１の軸部２１１ａを押し込むことにより、サブミラー駆動軸部材２１１を回動させるとともに、サブミラーレバー２１０を回動させ、サブミラー２０２をカメラ本体１の下方（ミラーボックスの下部側）に向かって移動させる。
【００９８】
ミラーユニットが第１の光路分割状態から第３の光路分割状態に移行する間、シャッタ先駆動レバー４１２及びシャッタ後駆動レバー４２２は先幕ヨーク４１３および後幕ヨーク４２３に吸着保持されており、チャージされた状態のままとなっている。したがって、シャッタ先幕４１１は展開状態のままであり、シャッタ後幕４２１は重畳状態のままとなっている。
【００９９】
そして、図１９に示すように、ハーフミラー１０１及びサブミラー２０２は撮像光路から完全に退避して第３の光路分割状態となる。
【０１００】
図１９に示す第３の光路分割状態において、マイクロプロセッサ２はシャッタ制御回路６の駆動を制御することによって、シャッタ先駆動レバー４１２およびシャッタ後駆動レバー４２２の吸着保持を順次解除させる。これにより、上述したようにシャッタ先幕４１１およびシャッタ後幕４２１の走行動作が順次行われ、撮像素子への露光が行われる。そして、図２０に示す状態となる。
【０１０１】
ここで、第３の光路分割状態から第１の光路分割状態への切り換え動作は、上述した説明の動作と逆の動作となる。
【０１０２】
すなわち、第３の光路分割状態から第１の光路分割状態への切り換え動作が開始されると、第３の光路分割状態におけるシャッタ駆動レバー３２０に対して駆動力が付加される。これにより、シャッタ駆動レバー３２０が図５の矢印Ｘ方向に回動し、ミラー駆動レバー３１３に設けられているシャッタ駆動レバー連動部３１８に当接する。そして、シャッター駆動レバー３２０が更に回動することで、ミラー駆動レバー３１３も回動することになる。
【０１０３】
このとき、ハーフミラー駆動カム３２２はハーフミラーカム軸１０６を駆動しないため、ハーフミラー受け板１０２はハーフミラー開きバネ１０８によってハーフミラーホルダーリンク１１０に対する所定の角度を保ったまま撮影光路内に進入する。そして、ハーフミラー受け板１０２に当接することで、図１７に示す状態となる。これにより、ファインダ光学系を介して被写体像を観察できるようになる。
【０１０４】
また、シャッタ駆動レバー３２０に設けられたシャッタ駆動部３２１によってシャッタチャージレバーが駆動され、シャッタ先幕４１１及びシャッタ後幕４２１はチャージ状態となる。
【０１０５】
次に、図１９および図２１〜図２３を用いて、ミラーユニットを第３の光路分割状態から第２の光路分割状態に移行させる際の動作について説明する。ここで、図２１および図２２は、第２の光路分割状態および第３の光路分割状態間の途中状態にあるときのミラーユニットおよびシャッタユニットの外観斜視図である。また、図２３は、第２の光路分割状態にあるときのミラーユニットおよびシャッタユニットの外観斜視図である。図２１〜図２３においては、被写体側から見たときの図を示している。
【０１０６】
図１９に示す第３の光路分割状態において、ミラー駆動レバー３１３は外部からの駆動力を受けておらず、ミラー駆動バネ３１５の付勢力を受けることで図７に示す状態にとな
っている。ミラーユニットを第３の光路分割状態から第２の光路分割状態に切り換えるときには、ミラー駆動レバー３１３のミラー駆動レバー入力部３１６に対して外部からの駆動力が付加される。
【０１０７】
ミラー駆動レバー入力部３１６に対して外部からの駆動力が付加されると、ミラー駆動レバー３１３が図５の矢印Ｘ方向に回動することにより、ミラー駆動バネ３１５がチャージされるとともに、吸収バネ３１４を介してミラー駆動ギア３１２が図５の矢印Ｘ方向に回動する。
【０１０８】
ここで、ミラー駆動レバー３１３およびミラー駆動ギア３１２は、吸収バネ３１４を介して連結されているため、ミラー駆動ギア３１２が停止するまでミラー駆動レバー入力部３１６に対して駆動力が入力される。
【０１０９】
ミラー駆動ギア３１２は、上述したように第１のギア部３１２ａを介してハーフミラー駆動レバー３１０（ギア部３１０ａ）に接続されているとともに、第２のギア部３１２ｂを介してサブミラー駆動レバー３１１（ギア部３１１ｂ）に接続されている。このため、ミラー駆動ギア３１２が回動することで、ハーフミラー駆動レバー３１０およびサブミラー駆動レバー３１１が回動することになり、ハーフミラー１０１およびサブミラー２０２の駆動が行われることになる。
【０１１０】
ハーフミラー駆動レバー３１０の回動によってハーフミラー駆動軸１０５が移動すると、ハーフミラーカム軸１０６がハーフミラー駆動カム３２２に当接する。そして、ハーフミラー駆動レバー３１０がハーフミラー駆動軸１０５を移動させるとともに、ハーフミラーカム軸１０６がハーフミラー駆動カム３２２に沿って移動することで、ハーフミラー受け板１０２のハーフミラーホルダーリンク１１０に対する角度が変化する。
【０１１１】
ここで、ハーフミラー受け板１０２のハーフミラーホルダーリンク１１０に対する回転量が、ハーフミラーホルダーリンク１１０の回転量よりも大きくなると、ハーフミラー１０１は、図２１に示す状態を経て図２２に示すように反射面が撮影光軸に対して略直交するようになる。
【０１１２】
このとき、ハーフミラーカム軸１０６はハーフミラー駆動カム３２２に沿って移動し、ハーフミラー１０１（ハーフミラー受け板１０２）のミラー先端側は、ハーフミラー位置決め部材３５０よりもハーフミラーヒンジ軸１２０側を移動するようになる。このため、ハーフミラー受け板１０２がハーフミラー位置決め部材３５０と接することが無く、ハーフミラー受け板１０２をスムーズに動作させることができる。
【０１１３】
図２２に示す状態からハーフミラー受け板１０２がさらに回動すると、図２３に示す状態となる。
【０１１４】
図２３で示す第２の光路分割状態において、ミラー駆動レバー３１３は、ハーフミラー１０１を作動させる作動量よりも多く駆動されており、吸収バネ３１４がチャージされる。このとき、吸収バネ３１４は、ミラー駆動レバー３１３のオーバーチャージ量を吸収することになる。
【０１１５】
吸収バネ３１４のチャージによって発生したミラー駆動ギア３１２の回転力は、ハーフミラー駆動レバー３１０を介してハーフミラー受け板１０２に伝達されている。これにより、ハーフミラー受け板１０２は、ハーフミラー位置決め部材３５１に当接した状態で保持され、ハーフミラーホルダーリンク１１０は位置決め部１１１でハーフミラーホルダーリンク位置決め部材３５２に当接した状態で保持される。
【０１１６】
図２３に示す第２の光路分割状態において、ハーフミラー受け板１０２はハーフミラー位置決め部材３５１に当接しており、ハーフミラーホルダーリンク１１０は位置決め部１１１においてハーフミラーホルダーリンク位置決め部材３５２に当接している。これにより、ハーフミラー１０１は、第２の光路分割状態に対応した位置（撮影光学系からの光束を焦点検出ユニットに反射させる位置）に保持される。
【０１１７】
また、ハーフミラーカム軸１０６は、ハーフミラー駆動カム３２２から離れた状態となっている。これにより、第２の光路分割状態におけるハーフミラー１０１の位置及び角度に影響が与えないようにしている。
【０１１８】
一方、ミラー駆動ギア３１２の回転に応じてサブミラー駆動レバー３１１は、突起部３１１ａがサブミラー駆動軸部材２１１の軸部２１１ａから離れるように回動する。ここで、サブミラー駆動軸部材２１１の軸部２１１ａには、外部からの駆動力が付与されることで、サブミラー２０２は撮影光路から退避した状態となる。
【０１１９】
そして、シャッタ駆動レバー３２０を駆動することで、不図示のシャッタユニットでのチャージを行った後、シャッタ先幕４１１を重畳させることで、撮影光学系からの光束を撮像素子に到達させる。これにより、撮像素子で読み出された画像データがディスプレイユニットで表示されるようになる。
【０１２０】
ここで、ミラー駆動レバー３１３の駆動中に、シャッタ駆動レバー３２０の駆動を開始させることでシャッタ先駆動レバー４１２およびシャッタ後駆動レバー４２２をチャージし、ミラー駆動レバー３１３の駆動完了直前にシャッタ駆動レバー３２０を解除するように構成されている。
【０１２１】
これにより、シャッタ駆動レバー３２０による駆動レバー４１２、４２２のチャージは解除されるが、駆動ユニットと連動して駆動されるシャッタ保持機構連動レバー３６０によってシャッタ保持機構４０１が駆動されているため、シャッタ後幕保持レバー４０２による係合よってシャッタ後駆動レバー４２２がチャージ状態に保持され、シャッタ後幕４２１は重畳状態のままとなる。
【０１２２】
これにより、ハーフミラー１０１を透過した光は、シャッタ４００のアパーチャ４５０ａを通過して撮像素子に到達する。
【０１２３】
一方、第２の光路分割状態から第３の光路分割状態への切り換え動作は、上述した動作と逆の動作となる。
【０１２４】
まず、図２３に示す状態において、開放状態にあるシャッタユニットを閉じ状態とする。そして、シャッタユニットを閉じ状態としたまま、シャッタ駆動レバー３２０に対する駆動力の入力を解除する。その後、ミラーユニットの動作を行う。
【０１２５】
ミラーユニットの動作は、ミラー駆動レバー３１３のミラー駆動レバー入力部３１６に付加していた駆動力を解除することにより、ミラー駆動レバー３１３をミラー駆動バネ３１５の付勢力によって回動させる。これにより、ハーフミラーユニット１０１及びサブミラー２０２の駆動が開始される。
【０１２６】
ここで、シャッタ駆動レバー３２０には駆動力が入力されていないため、ハーフミラー１０１の作動時に、ハーフミラーカム軸１０６はハーフミラー駆動カム３２２に当接しながら移動する。これにより、ハーフミラー受け板１０２は、ハーフミラー位置決め部材３
５０を回避して作動する。実際の動作としては、図２３から図２１に示す状態を経て、図１９に示す状態となる。
【０１２７】
一方、図６及び図２３に示す第２の光路分割状態では、ミラー駆動レバー３１３およびシャッタ駆動レバー３２０のうちミラー駆動レバー３１３のみを駆動させている。
【０１２８】
ここで、ミラー駆動レバー３１３は、シャッタ駆動レバー連動部３１８を介してシャッタ駆動レバー３２０からの駆動を受けることで動作するように構成されているが、シャッタ駆動レバー３２０はミラー駆動レバー３１３に連動して動作しないように構成されている。
【０１２９】
これにより、ＥＶＦモードではシャッタ駆動レバー３２０の駆動は自由に行うことができるため、シャッタ駆動レバー３２０によるシャッタチャージや、露光動作を繰り返すことができ、ミラーユニットを駆動することなく第２の光路分割状態のままで撮像動作を行うことができる。
【０１３０】
上述した説明では、第１および第３の光路分割状態間の切り換え動作や、第２および第３の光路分割状態間の切り換え動作について説明したが、第１〜第３の光路分割状態のうち２つの光路分割状態間の切り換え動作は以下に説明するようになる。
【０１３１】
＜ＯＶＦモードから撮影動作を行う場合＞
ＥＶＦモード（第１の光路分割状態）にて被写体像を観察しているときに、ＳＷ２のオンによる撮影動作の開始が指示されると、ミラーユニットは図１７に示す状態から図１８に示す状態を経て図１９に示す状態となる。そして、図１９に示す状態において、シャッタユニット４００におけるシャッタ先幕４１１およびシャッタ後幕４２１の走行動作が順次開始されることで、撮像素子への露光が行われる。
【０１３２】
そして、露光動作が終了すると、図１９に示す状態にあるミラーユニットは図１８に示す状態を経て図１７に示す状態に戻る。これにより、撮影者はファインダ光学系を介して被写体像を観察することができる。
【０１３３】
＜ＥＶＦモードから撮影動作を行う場合＞
ＥＶＦモード（第２の光路分割状態）にて被写体像を観察しているときに、ＳＷ２のオンによる撮影動作の開始が指示されると、図２３に示す状態にあるミラーユニットは図２２および図２１に示す状態を経て図１９に示す状態となる。そして、図１９に示す状態において、シャッタユニット４００におけるシャッタ先幕４１１およびシャッタ後幕４２１の走行動作が順次開始されることで、撮像素子への露光が行われる。
【０１３４】
そして、露光動作が終了すると、図１９に示す状態にあるミラーユニットは図２１および図２２に示す状態を経て図２３に示す状態に戻る。これにより、撮影者はディスプレイユニットを介して被写体像を観察することができる。
【０１３５】
＜ＯＶＦモードからＥＶＦモードへの切り換え動作＞
ＯＶＦモードからＥＶＦモードへの切り換えを行う場合には、まず、図１７に示す状態にあるミラーユニットを図１８に示す状態を経て図１９に示す状態に移行させて、第３の光路分割状態とする。その後、図１９に示す状態にあるミラーユニットを図２１および図２２に示す状態を経て図２３に示す状態とする。これにより、ＯＶＦモードからＥＶＦモードへの切り換え動作が完了し、撮影者はディスプレイユニットを介して被写体像を観察することができる。
【０１３６】
＜ＥＶＦモードからＯＶＦモードへの切り換え動作＞
ＥＶＦモードからＯＶＦモードへの切り換えを行うためには、まず、図２３に示す状態にあるミラーユニットを図２２および図２１に示す状態を経て図１９に示す状態に移行させて、第３の光路分割状態とする。その後、図１９に示す状態にあるミラーユニットを図１８に示す状態を経て図１７に示す状態とする。これにより、ＥＶＦモードからＯＶＦモードへの切り換え動作が完了し、撮影者はファインダ光学系を介して被写体像を観察することができる。
【０１３７】
ここで、本実施例では、ＯＶＦモードおよびＥＶＦモード間での切り換え動作を行うときに、ミラーユニットを第３の光路分割状態を経るようにしている。これは、第１および第２の光路分割状態間でミラーユニットを直接変化させたときには、ハーフミラー１０１の動作がハーフミラー位置決め部材３５０によって妨げられてしまうからである。
【０１３８】
次に、上述した構成のカメラシステムにおけるファインダモード切り換え動作について図２４を用いて説明する。
【０１３９】
ステップＳ１００において、マイクロプロセッサ２は、現在設定されているファインダモードを検出し、カメラ本体に設けられたファインダモード切り換えスイッチの操作によってＯＶＦモードからＥＶＦモードへの切り換えが指示されたときにはステップＳ１１０へ進む。一方、ＥＶＦモードからＯＶＦモードへの切り換えが指示されたときにはステップＳ２００へ進む。
【０１４０】
まず、ＯＶＦモードからＥＶＦモードに切り換える場合について説明する。ＯＶＦモードにおいては、ハーフミラー１０１およびサブミラー２０２が第１の光路分割状態（図２、図５）にある。ＥＶＦモードではファインダ光学系に物体光を導かないため、ステップＳ１１０において、アイピースシャッタ７０を閉じ状態とする。すなわち、マイクロプロセッサ２は、不図示のアイピースシャッタ駆動回路の駆動を制御することによって、アイピースシャッタ７０をファインダ光学系の光路内に進入させる。
【０１４１】
これはファインダ光学系を介して物体像を観察できないのを使用者が故障と誤解しないようにするためと、カメラ外部の光がファインダ光学系の接眼部からカメラ本体１内に入り込み、撮像素子３１に到達することでゴーストが発生するのを防ぐためである。
【０１４２】
ステップＳ１２０では、光学ファインダ内情報表示ユニット８０の駆動を停止させることで光学ファインダ視野内での表示を非表示状態とする。ここで、アイピースシャッタ７０はステップＳ１１０での処理によってすでに閉じ状態となっているため、光学ファインダ視野内に特定の情報を表示させても、該情報を撮影者は見ることができない。したがって、光学ファインダ内情報表示ユニット８０の駆動を停止させることで、カメラシステム内での不要な電力消費を抑制し、電池の消耗を抑制することができる。
【０１４３】
ステップＳ１３０では、ハーフミラー１０１の第２の光路分割状態への移動に備えて、サブミラー２０２をミラーボックス下部に退避させるとともに、ハーフミラー１０１を第３の光路分割状態に駆動する。
【０１４４】
ステップＳ１５０では、ハーフミラー１０１を第２の光路分割状態に駆動するとともに、シャッタ保持機構４０１を駆動させている。これにより、撮影光学系からの光束のうち一部の光束は、ハーフミラー１０１で反射して焦点検出ユニット６０に導かれる。
【０１４５】
本実施例において、上述動作はミラー駆動レバー３１３及びシャッタ駆動レバー３２０を駆動することによって行っている。まず、ミラー駆動レバー３１３を駆動することによ
り、ハーフミラー１０１及びサブミラー２０２の駆動を行う。そして、ミラー駆動レバー３１３を所定量駆動させた後、シャッタ駆動レバー３２０を駆動することにより、シャッタユニット４００でのチャージ動作を開始させる。
【０１４６】
ミラー駆動レバー３１３の駆動により、ハーフミラー１０１及びサブミラー２０２の駆動が行われるとともに、シャッタ保持機構連動レバー３６０の駆動が行われ、シャッタ保持機構４０１の駆動が行われる。
【０１４７】
本実施例では、ミラー駆動レバー３１３によるハーフミラー１０１及びサブミラー２０２の駆動が完了する前に、シャッタ保持機構４０１の駆動が完了するように構成されている。そして、ミラー駆動レバー３１３の駆動が完了する前に、シャッタチャージが完了し、シャッタチャージ解除動作が行われるように構成されている。
【０１４８】
シャッタチャージを解除することにより、シャッタユニット４００のシャッタ先幕４１１及びシャッタ後幕４２１のうちシャッタ先幕４１１のチャージ状態は解除される。一方、シャッタ後幕４２１については、シャッタ保持機構４０１が駆動されているため、すなわち、シャッタ後幕保持レバー４０２がシャッタ後駆動レバー４２２と係合しているため、チャージ状態で保持される。これにより、シャッタユニット４００は開放状態となる。
【０１４９】
このように、ミラーユニット第２の光路分割状態への駆動完了とともにシャッタチャージを解除することにより、シャッタ後幕４２１が重畳状態に保持され、シャッタユニット４００は開放状態となる。
【０１５０】
第２の光路分割状態では、撮影レンズ５０ａからの光束がハーフミラー２１を透過して撮像素子３１に到達するため、ハーフミラー２１を透過した光束が撮像素子３１上で形成する物体像のピント位置は、ハーフミラー２１を透過しないで撮像素子３１に到達する場合に比べて若干ずれる。
【０１５１】
このため、ステップＳ１７０では、上述したピント位置のずれを補正するためにピント補正モードを起動する。
【０１５２】
本実施例において、焦点検出ユニット６０から出力される焦点検出信号は、第３の光路分割状態において撮影レンズ５０ａからの光束が撮像素子３１に直接到達したときのピント状態を示すようになっている。これに対して、第２の光路分割状態においてピント補正モードが設定されているときには、撮影レンズ５０ａからの光束がハーフミラー２１を透過して撮像素子３１に到達したときのピント状態を示すように、上記焦点検出信号を補正している。このため、第２の光路分割状態における撮影光学系内のフォーカスレンズの合焦位置は、第１および第３の光路分割状態での合焦位置に対して焦点検出信号を補正した分だけずれることになる。
【０１５３】
したがって、ＥＶＦモードにおいてＳＷ２をオンにして撮影動作を行う場合、すなわち、光路分割系を第２の光路分割状態から第３の光路分割状態に切り換える場合には、シャッタユニット３０の先幕駆動機構のチャージとともに、フォーカスレンズの位置を上述したずれの分だけ補正する。すなわち、フォーカスレンズを、第２の光路分割状態での合焦位置から第３の光路分割状態での合焦位置に移動させる。この後、シャッタユニット１１３を所定時間だけ開き状態とすることで、撮像素子３１による撮像動作を行う。
【０１５４】
上述したように構成することで、ＥＶＦモード（第２の光路分割状態）においてはディスプレイユニット３２でピントのあった画像を確認することができ、第３の光路分割状態で撮影を行ったときにもピントのあった撮影画像を得ることができる。
【０１５５】
ステップＳ１８０では、ディスプレイユニット３２の電源を投入する。ステップＳ１９０では、撮影光学系によって形成された物体像に対して撮像素子３１による撮像動作を連続的に行い、撮像素子３１から読み出されて画像処理された画像データをディスプレイユニット３２上でリアルタイム表示させる。そして、ＯＶＦモードからＥＶＦモードへの切り換え動作を終了する。
【０１５６】
次に、ＥＶＦモードからＯＶＦモードへ切り換えるために、ステップＳ１００からステップＳ２００へ移行した場合について説明する。
【０１５７】
ＥＶＦモードにおいては、ハーフミラー１０１およびサブミラー２０２が第２の光路分割状態にあり、ディスプレイユニット３２においてリアルタイム表示が行われている。
【０１５８】
ステップＳ２００では、ディスプレイユニット３２の駆動を停止させるとともに、撮像素子３１による撮像動作を停止させる。
【０１５９】
ステップＳ２１０では、シャッタ３０のシャッタ後幕を重畳状態で保持させたままシャッタチャージ動作を行い、撮影に備えてシャッタ先幕駆動レバー４１２およびシャッタ後幕駆動レバー４２２をチャージすることで、シャッタを閉じ状態とする。ステップＳ２２０では、ＥＶＦモードにおいて設定されているピント補正モードをオフとする。
【０１６０】
ステップＳ２３０では、ミラー駆動レバー３１３及びシャッタ駆動レバー３２０を駆動することにより、ハーフミラー１０１及びサブミラー２０２を、第２の光路分割状態から第３の光路分割状態に駆動する。
【０１６１】
ステップＳ２４０では、ミラー駆動レバー３１３及びシャッタ駆動レバー３２０を駆動することで、ハーフミラー１０１及びサブミラー２０２を、第３の光路分割状態から第１の光路分割状態に駆動する。本実施例において、ミラー駆動レバー３１３は、シャッタ駆動レバー３２０に連動して駆動されるように構成されており、シャッタ駆動レバー３２０を所定量、駆動することにより、第１の光路分割状態に設定することができる。
【０１６２】
ステップＳ２５０では、ファインダ光学系の光路内に進入しているアイピースシャッタ７０を上記光路から退避させて、開き状態とする。
【０１６３】
ステップＳ２６０において、マイクロプロセッサ２は光学ファインダ内情報表示ユニット８０を起動させて、ファインダ内情報表示を表示状態（点灯）とする。そして、ＥＶＦモードからＯＶＦモードへの切り換え動作を終了する。
【０１６４】
本実施例では、撮像画像をディスプレイユニット３２で表示させる場合、すなわちＥＶＦモードの場合には、ハーフミラー１０１およびサブミラー２０２が第２の光路分割状態となっており、撮影レンズ５０ａからの光束を焦点検出ユニット６０に導いている。これにより、ＥＶＦモードのときにも、焦点検出ユニット６０での位相差検出方式による焦点検出に基づいて、高速な焦点調節動作を行わせることができる。
【実施例２】
【０１６５】
次に、本発明の実施例２であるカメラシステムについて説明する。本実施例では、実施例１のカメラシステムにおいて、シャッタユニットの動作を変更した実施例となるため、以下、実施例１と異なる点について説明する。
【０１６６】
図２５から図３０は、本実施例におけるシャッタユニットの主要部分の構成を示す図で
ある。
【０１６７】
図２５は、シャッタ先幕およびシャッタ後幕が走行完了状態にあるときのシャッタユニットの正面図であり、図２６は、図２５に示す状態にあるときのシャッタユニットの部分構成図である。図２７は、シャッタ後幕のみがチャージ状態にあるときのシャッタユニットの正面図であり、図２８は、図２７に示す状態にあるときのシャッタユニットの部分構成図である。図２９は、シャッタ先幕及びシャッタ後幕がチャージ状態にあるときのシャッタ装置の正面図であり、図３０は図２９に示す状態にあるときのシャッタユニットの部分構成図である。
【０１６８】
図２５から図３０において、４１１はシャッタ先幕、４１２はシャッタ先駆動レバー、４２１はシャッタ後幕、４２２はシャッタ後駆動レバーである。４４０はシャッタチャージレバー（駆動部材）であり、シャッタ先駆動レバー４１２及びシャッタ後駆動レバー４２２と係合して、これらの駆動レバー４１２、４２２のチャージ動作を行う。
【０１６９】
４４１は、シャッタチャージレバー４４０に形成された先駆動レバー駆動部であり、シャッタ先駆動レバー４１２に設けられた被駆動部４１２ａと当接可能となっている。４４２は、シャッタチャージレバー４４０に形成された後駆動レバー駆動部であり、シャッタ後駆動レバー４２２に設けられた被駆動部４２２ａと当接可能となっている。
【０１７０】
本実施例のシャッタユニットにおいて、チャージレバー４４０は、駆動レバー４１２、４２２のチャージを解除する状態（図２６）と、シャッタ後駆動レバー４２２だけをチャージする状態（図２８）と、駆動レバー４１２、４２２をチャージさせる状態（図３０）との間で切り換わるようになっている。
【０１７１】
本実施例のシャッタユニットを、実施例１で説明したカメラ本体内に設けた場合、ミラーユニットが第１の光路分割状態にあるときに、シャッタユニットを図２９に示す状態とする。これにより、ＯＶＦモードに対応した状態とすることができる。また、ミラーユニットが第２の光路分割状態にあるときには、シャッタユニットを図２７に示す状態とする。これにより、シャッタユニットを開放状態として、ＥＶＦモードに対応した状態とすることができる。
【０１７２】
ミラーユニットが第３の光路分割状態にあるときには、シャッタ先駆動レバー４１２及びシャッタ後駆動レバー４２２を保持した状態で、シャッタチャージレバー４４０を図２５及び図２６で示すチャージ解除状態に駆動して、順次、駆動レバー４１２、４２２の保持を解除することで、シャッタ幕の走行を行い図２５及び図２６の状態となる。
【０１７３】
上述した実施例においては、レンズ装置およびカメラ本体からなるカメラシステムについて説明したが、レンズ装置が一体となっているものでも適用でき、また、撮像機能を有する光学機器にも適応できる。
【０１７４】
また、上述した実施例では、ミラーユニットを第１の光路分割状態から第２のコロ光路分割状態に移行させるのに連動させてシャッタユニットを開放状態とさせる構成について説明したが、ミラーユニットおよびシャッタユニット間の連動機構については、本実施例で説明した構成に限られず、他の機構による連動、電気的な連動等によって行うようにしてもよい。
【図面の簡単な説明】
【０１７５】
【図１】実施例１のカメラ本体の電気的構成を示すブロック図。
【図２】ＯＶＦモードにおけるカメラシステム内の構成図。
【図３】ＥＶＦモードにおけるカメラシステムの構成図。
【図４】撮影モードにおけるカメラシステムの構成図。
【図５】ＯＶＦモードにおけるミラーユニットの外観斜視図。
【図６】ＥＶＦモードにおけるミラーユニットの外観斜視図。
【図７】撮影モードにおけるミラーユニットの外観斜視図。
【図８】物体側から見たときのシャッタユニットの外観斜視図。
【図９】像面側から見たときのシャッタユニットの外観斜視図。
【図１０】ＯＶＦモードにおけるシャッタユニット及びミラーユニットの外観斜視図。
【図１１】ＯＶＦモードにおけるシャッタユニット及びミラーユニットの外観斜視図。
【図１２】ＥＶＦモードにおけるシャッタユニット及びミラーユニットの外観斜視図。
【図１３】ＥＶＦモードにおけるシャッタユニット及びミラーユニットの外観斜視図。
【図１４】撮影モードにおけるシャッタユニット及びミラーユニットの外観斜視図。
【図１５】撮影モードにおけるシャッタユニット及びミラーユニットの外観斜視図。
【図１６】ミラーユニットの外観斜視図。
【図１７】ＯＶＦモードにおけるミラーユニット及びシャッタユニットの外観斜視図。
【図１８】ＯＶＦモード及び撮影モード間の切り換え途中の状態にあるミラーユニット及びシャッタユニットの外観斜視図。
【図１９】撮影モードにおけるミラーユニット及びシャッタユニットの外観斜視図。
【図２０】撮影モードにおけるミラーユニット及びシャッタユニットの外観斜視図。
【図２１】ＥＶＦモード及び撮影モード間の切り換え途中の状態にあるミラーユニット及びシャッタユニットの外観斜視図。
【図２２】ＥＶＦモード及び撮影モード間の切り換え途中の状態にあるミラーユニット及びシャッタユニットの外観斜視図。
【図２３】ＥＶＦモードにおけるミラーユニット及びシャッタユニットの外観斜視図。
【図２４】ファインダモードの切り換え動作を示すフローチャート。
【図２５】閉じ状態にあるシャッタユニットの正面図。
【図２６】閉じ状態にあるシャッタユニットの部分構成図。
【図２７】開き状態にあるシャッタユニットの正面図。
【図２８】開き状態にあるシャッタユニットの部分構成図。
【図２９】閉じ状態にあるシャッタユニットの正面図。
【図３０】閉じ状態にあるシャッタユニットの部分構成図。
【符号の説明】
【０１７６】
１：カメラ本体
２１：ハーフミラー
２３：サブミラー
３０：シャッタユニット
３１：撮像素子
３２：ディスプレイユニット
４０：ファインダ光学系
５０：レンズ装置
６０：焦点検出ユニット
１０１：ハーフミラー
４００：シャッタユニット
４１１：シャッタ先幕
４２１：シャッタ後幕
【図１】
2005292526.tif 000003
【図２】
2005292526.tif 000004
【図３】
2005292526.tif 000005
【図４】
2005292526.tif 000006
【図５】
2005292526.tif 000007
【図６】
2005292526.tif 000008
【図７】
2005292526.tif 000009
【図８】
2005292526.tif 000010
【図９】
2005292526.tif 000011
【図１０】
2005292526.tif 000012
【図１１】
2005292526.tif 000013
【図１２】
2005292526.tif 000014
【図１３】
2005292526.tif 000015
【図１４】
2005292526.tif 000016
【図１５】
2005292526.tif 000017
【図１６】
2005292526.tif 000018
【図１７】
2005292526.tif 000019
【図１８】
2005292526.tif 000020
【図１９】
2005292526.tif 000021
【図２０】
2005292526.tif 000022
【図２１】
2005292526.tif 000023
【図２２】
2005292526.tif 000024
【図２３】
2005292526.tif 000025
【図２４】
2005292526.tif 000026
【図２５】
2005292526.tif 000027
【図２６】
2005292526.tif 000028
【図２７】
2005292526.tif 000029
【図２８】
2005292526.tif 000030
【図２９】
2005292526.tif 000031
【図３０】
2005292526.tif 000032